(57)【要約】      （修正有）【課題】眼鏡を着用した人物の少なくとも１つの行動特性、姿勢特性、又は幾何形態特性を判定する方法を提供する。【解決手段】赤外光源２２０、２３０、２４０を使用して着用者の頭部を照射するステップと、赤外線画像センサ２１０を使用して着用者の頭部の画像を取得するステップと、画像内において、眼鏡の２つのレンズによって反射された、赤外光源からの反射を見出すステップと、演算ユニット２５０を使用し、画像内の反射の位置の関数として、必要とされる特性を推定するステップと、を有する。【選択図】図４
2018057872.tif 000002
【特許請求の範囲】
【請求項１】
着用者（１）の顔面上の眼鏡（１００）の着用位置を最適化するための少なくとも１つの特性を判定する方法であって、前記最適化特性は、幾何形態特性（ＥＧ、ＥＤ、ＨＤ、ＨＧ）、姿勢特性（α）、又は行動特性であり、
前記眼鏡（１００）は、フレーム（１１０）と、２つのレンズ（１５０Ｇ、１５０Ｄ）を有するものである、
方法において、
ａ）赤外光源（２２０、２３０、２４０）を使用することにより、前記着用者（１）の頭部（１０）の少なくとも一部分を照射するステップと、
ｂ）前記赤外光源（２２０、２３０、２４０）によって照射された前記着用者（１）の前記頭部（１０）の画像（３０１、３０２、３０３）を赤外線画像センサ（２１０）によって取得するステップであって、前記画像内には、前記眼鏡（１００）及び前記着用者（１）の眼が現れる、ステップと、
ｃ）ステップｂ）において取得された前記画像（３０１、３０２、３０３）内において、前記眼鏡（１００）の前記２つのレンズ（１５０Ｇ、１５０Ｄ）によって反射された前記赤外光源（２２０、２３０、２４０）の反射（１６０Ｇ、１６０Ｄ、１６１Ｇ、１６１Ｄ）及び／又は前記着用者（１）の前記２つの眼のうちの１つによって反射された前記赤外光源（２２０、２３０、２４０）の少なくとも１つの角膜反射（１６２Ｄ、１６２Ｇ）を見出すステップと、
ｄ）前記画像（３０１、３０２、３０３）内における前記反射（１６０Ｇ、１６０Ｄ、１６１Ｇ、１６１Ｄ）及び／又は前記角膜反射（１６２Ｄ、１６２Ｇ）の位置に応じて、前記幾何形態特性（ＥＧ、ＥＤ、ＨＤ、ＨＧ）、姿勢特性（α）、又は行動特性を処理ユニット（２５０）によって推定するステップと、
を有することを特徴とする方法。
【請求項２】
ステップｃ）において、ステップｂ）において取得された前記画像（３０１、３０２、３０３）内には、前記着用者（１）の両方の眼によって反射された前記赤外光源（２２０、２３０、２４０）の前記角膜反射（１６２Ｄ、１６２Ｇ）が位置している、
請求項１に記載の判定方法。
【請求項３】
ステップｂ）において、前記画像（３０１、３０２、３０３）は、７８０〜１４００ｎｍに含まれる波長を有する近赤外線の領域内において取得される、
請求項１又は２に記載の判定方法。
【請求項４】
前記姿勢特性は、ヨー角（α）を有し、前記ヨー角（α）は、前記着用者（１）の前記頭部（１０）の矢状面（Ｐ２）と前記赤外線画像センサ（２１０）の光軸（Ａ２）を分離している、
請求項１から３のいずれか一項に記載の判定方法。
【請求項５】
前記幾何形態特性は、前記着用者（１）の片眼瞳孔間距離（ＥＧ、ＥＤ）を有する、請求項１から４のいずれか一項に記載の判定方法。
【請求項６】
前記幾何形態特性は、前記着用者の瞳孔高さ（ＨＧ、ＨＤ）を有する、請求項１から５のいずれか一項に記載の判定方法。
【請求項７】
ステップｂ）において、前記赤外線画像センサ（２１０）は、前記着用者（１）の前記頭部（１０）の少なくとも２つの画像（３０１、３０２、３０３）を取得し、
ステップｃ）において、前記反射（１６０Ｇ、１６０Ｄ、１６１Ｇ、１６１Ｄ）は、ステップｂ）において取得されたそれぞれの画像（３０１、３０２、３０３）内に位置しており、且つ、
ステップｄ）において、前記行動特性は、ある程度その頭部又はその眼を移動させることにより、その凝視を回転させる前記着用者の傾向を定量化した係数を有する、
請求項１から６のいずれか一項に記載の判定方法。
【請求項８】
前記幾何形態特性は、前記着用者（１）の前記眼の回転の中心（ＯＧ、ＯＤ）の位置を有する、請求項１から７のいずれか一項に記載の判定方法。
【請求項９】
人物（１）の幾何形態特性（ＥＧ、ＥＤ、ＨＤ、ＨＧ）、姿勢特性（α）、又は行動特性の少なくとも１つを判定する装置（２００）において、
−  前記人物（１）の頭部（１０）の少なくとも一部分を照射するのに適した少なくとも１つの赤外光源（２２０、２３０、２４０）と、
−  前記赤外光源（２２０、２３０、２４０）によって照射された前記人物（１）の前記頭部（１０）の少なくとも一部分の画像（３０１、３０２、３０３）を取得するのに適した赤外線画像センサ（２１０）と、
−  前記人物（１）の瞳孔によって及び／又は前記人物（１）が着用した眼鏡（１００）の２つのレンズ（１５０Ｄ、１５０Ｇ）によって反射された前記赤外光源（２２０、２３０、２４０）の反射（１６０Ｄ、１６０Ｇ、１６１Ｄ、１６１Ｇ、１６２Ｄ、１６２Ｇ）を前記画像（３０１、３０２、３０３）上において見出し、且つ、前記反射から、前記幾何形態特性（ＥＧ、ＥＤ、ＨＤ、ＨＧ）、姿勢特性（α）、又は行動特性を推定するようにされた処理ユニット（２５０）と、
を有することを特徴とする判定装置。
【請求項１０】
前記処理ユニットは、コンピュータの中央処理ユニットによって形成され、
且つ、
前記赤外光源及び前記赤外線画像センサは、前記処理ユニットとは別個であり、前記コンピュータの前記中央ユニットと通信するのに適した通信手段を装備する、
請求項９に記載の判定装置。
【請求項１１】
前記赤外光源（２２０、２３０、２４０）、前記赤外線画像センサ（２１０）、及び前記処理ユニット（２５０）が堅固に固定される支持構造体（２０１）を有する、請求項９に記載の判定装置（２００）。
【請求項１２】
前記支持構造体（２０１）は、マウンティング（２０２）と、前記マウンティング（２０２）上において移動自在に取り付けられると共に前記赤外光源（２２０、２３０、２４０）及び／又は前記赤外線画像センサ（２１０）を支持するスライダ（２０５）と、を有する、
請求項１１に記載の判定装置（２００）。
【請求項１３】
前記スライダ（２０５）の移動を動力化する手段が設けられ、且つ、
前記処理ユニット（２５０）は、前記人物（１）の顔が前記赤外線画像センサ（２１０）にとって可視状態となるような位置に前記動力化手段を自動的に制御するように適合されている、
請求項１２に記載の判定装置（２００）。
【請求項１４】
前記画像センサに対して移動自在に取り付けられた単一の光源、又は、前記画像上に２つの別個の反射を生成するべく、互いに離隔した少なくとも２つの光源が、設けられる、請求項９から１３のいずれか一項に記載の判定装置。
【請求項１５】
それぞれの赤外光源（２２０、２３０、２４０）は、少なくとも１つの発光ダイオードから構成される、請求項９から１４のいずれか一項に記載の判定装置（２００）。
【請求項１６】
前記赤外線画像センサ（２１０）は、可視領域において画像を取得するのにも適する、請求項９から１５のいずれか一項に記載の判定装置（２００）。
【請求項１７】
前記赤外線画像センサとは別個であり、且つ、前記可視領域において前記着用者の画像を取得するのに適した可視画像センサが設けられる、請求項９から１５のいずれか一項に記載の判定装置。
【請求項１８】
前記可視領域において取得された前記画像を表示（２７０）及び／又は印刷（２８０）する手段が設けられる、請求項１６又は１７に記載の判定装置（２００）。
【請求項１９】
前記眼鏡（１００）の少なくとも１つの寸法を取得する手段（２９０）が設けられる、請求項９から１８のいずれか一項に記載の判定装置（２００）。
【発明の詳細な説明】
【技術分野】
【０００１】
概して、本発明は、主題の計測値の取得に関する。
【０００２】
本発明は、具体的には、眼鏡着用者に対して調整された矯正眼科レンズの個人化された光学設計を目的とした眼鏡着用者の計測値の取得に適用可能であるが、それに限られない。
【０００３】
本発明は、更に詳しくは、着用者の顔面上における眼鏡の着用位置を最適化するための少なくとも１つの特性を判定する方法及び装置に関し、前記最適化特性は、眼鏡の着用者の幾何形態特性、姿勢特性、又は行動特性である。
【背景技術】
【０００４】
矯正眼科レンズの設計の際には、可能な限り最良に着用者に対して調整されるようにレンズを機械加工するべく、着用者及び選択された眼鏡フレームに由来する個人化光学設計パラメータと呼ばれる多数の個別のパラメータを考慮する必要がある。
【０００５】
これらのパラメータを判定するために、眼鏡技師は、選択された眼鏡フレームを着用者の鼻の上に配置し、且つ、この状態の着用者に対して様々な計測操作を実行する。即ち、眼鏡技師は、具体的には、着用者の片眼瞳孔間距離（ｈａｌｆ  ｐｕｐｉｌｌａｒｙ  ｄｉｓｔａｎｃｅ）、即ち、着用者の鼻梁とそれぞれの瞳孔の間の距離を、判定してもよい。
【０００６】
眼鏡フレーム内の２つのレンズの位置を検出する方法は、例えば、国際特許出願公開第２００８／００９４２３号パンフレットに開示されており、前記方法は、２つの可視光源と２つの画像センサを使用している。この特許文献においては、レンズは、その前面に接着接合されたステッカを使用することにより、正確に示されている。
【０００７】
画像センサは、着用者と対向するように配置されている。２つの光源は、着用者を照射するように、但し、計測を妨げることになるレンズ上の反射を生成することのないように、眼鏡着用者の上方に配置されている。
【０００８】
次いで、取得される画像が正しいコントラストを有するように着用者の顔を照射するべく、２つの光源によって放出される光強度を選択している。
【発明の概要】
【発明が解決しようとする課題】
【０００９】
但し、この方法は、様々な欠点を有する。
【００１０】
即ち、ステッカをレンズに対して慎重に接着接合する必要があり、この目的のために、要員を訓練する必要がある。
【００１１】
ステッカの自動的な配置は、実装が困難であり、且つ、失敗率が相当に大きく、眼鏡技師が、取得された画像上において、これらのステッカを手動で配置する必要がしばしばあるほどである。
【００１２】
これらのステッカは、取得された画像内に現れるが、これは、あまり美しいものではなく、従って、自分自身を鏡の中において又は取得された画像上において観察することになる眼鏡着用者にとっては、あまり嬉しいものではない。
【００１３】
更には、取得された画像が、ステッカを隠蔽し易い寄生反射をレンズ上に生成する周辺光によって、妨げられる。
【００１４】
十分なコントラストを有する画像を得るべく選択された光強度は、通常、着用者には、眩しいものである。当然のことながら、フラッシュを使用してこの欠点を矯正することもできるが、これは、必然的に、着用者が後ずさることをもたらすことになり、この動きにより、計測が損われ易くなる。
【００１５】
最後に、この方法は、着色されたレンズが除去されない限り、サングラスを処理するには非効率であり、着色レンズの除去は、最良の場合でも、面倒であり、且つ、リムレスフレームの場合には、最悪の場合不可能である。
【課題を解決するための手段】
【００１６】
従来技術の上述の欠点を矯正するべく、本発明は、眼鏡の着用者の少なくとも１つの幾何形態特性、姿勢特性、又は行動特性を判定する方法を提供し、この方法は、
ａ）赤外光源を使用することにより、着用者の頭部を照射するステップと、
ｂ）赤外光源によって照射された着用者の頭部の画像を赤外線画像センサによって取得するステップであって、この画像内には、眼鏡及び着用者の眼が現われている、ステップと、
ｃ）ステップｂ）において取得された画像内において、眼鏡の２つのレンズによって反射された赤外光源の反射及び／又は着用者の２つの眼のうちの１つによって反射された赤外光源の少なくとも１つの角膜反射を見出すステップと、
ｄ）前記画像内における反射及び／又は前記角膜反射の位置に応じて、前記幾何形態特性、姿勢特性、又は行動特性を処理ユニットによって推定するステップと、
を有する。
【００１７】
本発明によれば、計測値が取得されている間に、着用者は、赤外光源を眩しく感じない。
【００１８】
赤外線画像センサは、更に、
−  ディスプレイレンズ上における反射の位置を正確に示すことを容易にし、その理由は、寄生反射が赤外線領域において低減され、且つ、光源の反射を寄生反射から弁別するために、着用者を煩わせることなしに、高光強度を使用することができるからであり、且つ、
−  着用者の瞳孔上における反射の位置を正確に示すことを容易にし、その理由は、眼鏡のレンズが着色されている際にも、着用者の瞳孔が赤外光下において可視状態となるからである。
【００１９】
更には、レンズ上における反射防止処理の使用が問題とはならず、その理由は、反射防止処理は、赤外光の領域において反射を低減するように設計されてはいないからである。
【００２０】
定義により、幾何形態特性とは、ここでは、眼鏡着用者の顔の形状に関係する特性であると定義されている。
【００２１】
幾何形態特性は、例えば、場合により、着用者の瞳孔間距離の、着用者のそれぞれの瞳孔と眼鏡フレームの対応するリムの底部の間の距離（「瞳孔高さ」と呼ぶ）、及び／又は着用者のそれぞれの眼と眼鏡フレームの対応するレンズの間の距離の問題となる。
【００２２】
定義により、姿勢特性とは、計測座標系における眼鏡着用者の位置に関係する特性として定義されている。
【００２３】
姿勢特性は、例えば、着用者の頭部の矢状面とカメラの光軸の間のヨー角の、着用者の頭部のフランクフルト面とカメラの光軸の間のピッチ角、及び／又はカメラの光軸を中心とした着用者の頭部のロール角の問題となる。
【００２４】
定義により、行動特性とは、刺激に対する着用者の反応に関係する特性として定義されている。
【００２５】
行動特性は、例えば、物体がその視野内に現れるのに伴って、物体を観察するべく、ある程度その眼又は頭部を回転させる着用者の傾向の問題となる。
【００２６】
以下のものが、本発明による判定プロセスのその他の有利且つ非限定的な特徴である：
−  ステップｃ）において、ステップｂ）において取得された画像内には、着用者の２つの角膜によって反射された赤外光源の反射も位置しており、
−  ステップｂ）において、前記画像は、７８０〜１４００ｎｍに含まれる波長を有する近赤外線の領域において取得されており、
−  前記姿勢特性は、ヨー角を有し、ヨー角は、着用者の頭部の矢状面と赤外線画像センサの光軸を分離しており、
−  前記幾何形態特性は、着用者の片眼瞳孔間距離を有しており、
−  前記幾何形態特性は、着用者の瞳孔高さを有しており、
−  ステップｂ）において、赤外線画像センサは、着用者の頭部の少なくとも２つの画像を取得しており、ステップｃ）において、前記反射は、ステップｂ）において取得されたそれぞれの画像内に位置しており、且つ、ステップｄ）において、前記行動特性は、ある程度その頭部又はその眼を運動させることによってその凝視を回転させる着用者の傾向を定量化する係数を有しており、
−  前記幾何形態特性は、着用者の眼の回転の中心の位置を有する。
【００２７】
又、本発明は、人物の少なくとも１つの幾何形態特性、姿勢特性、又は行動特性を判定する装置にも関し、この装置は、
−  前記人物の頭部を照射するのに適した少なくとも１つの赤外光源と、
−  赤外光源によって照射された前記人物の頭部の画像を取得するのに適した赤外線画像センサと、
−  前記人物の瞳孔によって及び／又は前記人物が着用した眼鏡の２つのレンズによって反射された赤外光源の反射を前記画像上において見出し、且つ、これらの反射から、前記幾何形態特性、姿勢特性、又は行動特性を推定するのに適した処理ユニットと、
を有する。
【００２８】
以下のものが、本発明による判定装置のその他の有利な且つ非限定的な特徴である：
−  処理ユニットは、コンピュータの中央処理ユニットによって形成されており、この場合に、赤外光源及び赤外線画像センサは、処理ユニットとは別個であり、且つ、コンピュータの中央ユニットと通信するのに適した通信手段を装備しており、
−  赤外光源、赤外線画像センサ、及び処理ユニットが堅固に固定される支持構造体が設けられており、
−  支持構造体上において移動自在に取り付けられると共に赤外光源及び／又は赤外線画像センサを支持するスライダが設けられており、
−  前記画像センサに対して移動自在に取り付けられた単一の光源、又は、前記画像上に２つの別個の反射を生成するべく互いに離隔した少なくとも２つの光源が、設けられており、
−  スライダの移動を動力化するための手段が設けられており、この場合に、前記処理ユニットは、前記人物の顔が赤外線画像センサにとって可視状態となるような位置に前記動力化手段を自動的に制御するのに適しており、
−  それぞれの赤外光源は、少なくとも１つの発光ダイオードから構成されており、
−  赤外線画像センサは、可視領域における画像を取得するのにも適しており、
−  赤外線画像センサとは別個であると共に可視領域において着用者の画像を取得するのに適した可視画像センサが設けられており、
−  可視領域において取得された画像を表示及び／又は印刷する手段が設けられており、
−  眼鏡フレームの少なくとも１つの幾何特性を取得する手段が設けられている。
【００２９】
非限定的な例として付与されている以下の説明及び本記載が参照している添付図面を参照することにより、本発明の構成要素と本発明を実施可能な方法について理解することができよう。
【図面の簡単な説明】
【００３０】
【図１】眼鏡着用者の頭部の概略斜視図である。
【図２】図１の眼鏡着用者の頭部の概略平面図である。
【図３】図１の眼鏡着用者の眼と画像センサが示されている概略図である。
【図４】本発明による方法を実装するのに適した装置の概略斜視図である。
【図５】図３の画像センサによって取得された３つの画像の中の１つを示す。
【図６】図３の画像センサによって取得された３つの画像の中の１つを示す。
【図７】図３の画像センサによって取得された３つの画像の中の１つを示す。
【図８】図１の眼鏡着用者の頭部の概略平面図である。
【発明を実施するための形態】
【００３１】
以下の説明においては、特定の参照符号は、文字Ｇ又はＤによって後続される数字から構成されている。この場合に、これらの参照符号は、眼鏡着用者に対して左側又は右側に配置された要素をそれぞれ表記している。即ち、着用者の左又は右眼は、それぞれ、２０Ｇ及び２０Ｄとして参照されている。
【００３２】
図１は、眼鏡１００を着用した人物１の頭部１０を示している。この人物は、本記載の残りの部分においては、以下、「着用者」と呼ばれることになる。
【００３３】
又、本記載においては、別の人物も参照されることになり、この人物は、「販売員」として呼ばれると共に、眼鏡レンズの発注及び着用者によって選択された眼鏡フレーム１００内への眼鏡レンズの装着を目的として、着用者１０による眼鏡１００の選択と、眼科レンズ（図示せず）の製造に必要とされるデータの計測と、を支援することになる。
【００３４】
計測は自動化されていることから、この販売員は、眼鏡技師である必要はない。
【００３５】
計測に先立ち、着用者は、販売員が提供可能な眼鏡の中から１つの眼鏡１００を選択することになる。
【００３６】
計測の際には、着用者は、この眼鏡１００を着用することになる。
【００３７】
着用者は、その頭部１０が実質的にまっすぐであると共に画像センサ２１０に向かって方向付けられた状態で、着座又は起立することになる（図３を参照されたい）。
【００３８】
販売員は、更に、画像センサ２１０の近傍に配置されたターゲット３１０を見るように着用者１に対して求めることになる（図３を参照されたい）。従って、着用者１の２つの瞳孔２１Ｇ、２１Ｄの中心と２つの眼２０Ｇ、２０Ｄの回転の中心ＯＤ、ＯＧが、それぞれ、ターゲット３１０と整列されることになる。
【００３９】
図１においては、着用者１によって選択された眼鏡１００が、フルリム眼鏡であることが観察され得る（変形形態として、これらは、当然のことながら、ハーフリム又はリムなし眼鏡などの任意のその他のタイプの眼鏡であり得る）。
【００４０】
この眼鏡１００は、２つのディスプレイレンズ１５０Ｇ、１５０Ｄ（着用者の視力の程度に対して調整された眼科レンズによって置換されるように意図されたもの）がその中に装着されている２つのリム１１１Ｇ、１１１Ｄ（又は、レンズ縁）を有する眼鏡フレーム１１０を有する。
【００４１】
２つのリム１１１Ｇ、１１１Ｄは、着用者の鼻上に載置される２つの鼻パッドを装備した鼻ブリッジ又はブリッジ１１３を介して互いに接続されている。又、これらのリムは、それぞれ、着用者１の対応する耳の上部に載置されるテンプル１１２Ｇ、１１２Ｄをも装備している。これらのテンプル１１２Ｇ、１１２Ｄは、それぞれ、長手方向軸に沿って、その長さの大部分にわたって直線的に延在し、且つ、その端部において湾曲している。
【００４２】
眼鏡フレーム１１０の２つのリム１１１Ｇ、１１１Ｄのそれぞれは、その内側に凹入した状態で、ベゼルと一般に呼ばれる溝を有し、ベゼルには、対応するディスプレイレンズ１５０Ｇ、１５０Ｄのエッジ面から突出するベベルが嵌め込まれる。
【００４３】
図２に示されているように、ここでは、中央面Ｐ１が、眼鏡フレーム１１０との関係において定義されており、前記中央面は、２つのリム１１１Ｇ、１１１Ｄのベゼルの底部エッジ上のすべての地点に可能な限り近接した状態において延在している。
【００４４】
この中央面Ｐ１は、「装用時前傾角（ｐａｎｔｏｓｃｏｐｉｃ  ａｎｇｌｅ）」と呼ばれる角度だけ、テンプル１１２Ｇ、１１２Ｄの長手方向軸を通過する面に対して傾斜している。平均的には、眼鏡フレームの装用時前傾角は、約１０度である。
【００４５】
図１に示されているように、画像センサ２１０によって取得された着用者１のそれぞれの画像内において、「ボクシングシステム」に従って定義された２つのボックス１５１Ｇ、１５１Ｄにより、眼鏡フレーム１１０のリム１１１Ｇ、１１１Ｄを特徴付けてもよい。
【００４６】
これらのボクシングシステムボックス１５１Ｇ、１５１Ｄは、眼鏡フレーム１１０のリム１１１Ｇ、１１１Ｄ（又は、ディスプレイレンズ１５０Ｇ、１５０Ｄ）を取り囲む矩形として定義されており、これらの矩形の２辺は、垂直であり、残りの２辺は、水平である。
【００４７】
次いで、それぞれの画像内において、眼鏡フレーム１００の観察可能軸Ａ３は、ボクシングシステムボックス１５１Ｇ、１５１Ｄの垂直の辺に対して平行であると共にこれらのボックスから等距離に配置された軸であるものとして定義される。
【００４８】
図１に示されているように、フランクフルト面Ｐ３は、着用者の眼窩下縁部及びポリオンを通過する面であるものとして、計測位置において、着用者１との関係において定義される（ポリオンは、外耳道の頭蓋内における最高点であり、これは、耳の耳点に対応している）。従って、計測位置において、このフランクフルト面Ｐ３は、実質的に水平となる。
【００４９】
又、矢状面Ｐ２は、フランクフルト面Ｐ３に対して、且つ、着用者１の２つの眼２０Ｇ、２０Ｄの回転の中心ＯＧ、ＯＤを通過すると共に着用者の鼻梁を通過する軸に対して、直交する面であるものとして、定義される。従って、計測の際に、この矢状面Ｐ２は、実質的に垂直となる。この位置は、着用者１の鼻の位置からではなく、むしろ、着用者１が着用した眼鏡１００の位置に応じて、推定されることになる。
【００５０】
長手方向軸Ａ１は、矢状面Ｐ２内に含まれた状態でフランクフルト面Ｐ３に直交すると共に着用者がその頭部を右から左に回転させた際に（即ち、着用者がその頭部を「いいえ」と言うために振った際に）着用者１の頭部１０の回転軸に対応するものとして、着用者１の頭部１０との関係において、定義される。計測位置において、この長手方向軸Ａ１は、実質的に垂直となる。
【００５１】
前部軸Ａ４も、フランクフルト面Ｐ３と矢状面Ｐ２の間の交差軸として定義される。
【００５２】
横断軸Ａ５も、長手方向軸Ａ１及び前部軸Ａ４に垂直である軸として定義される。
【００５３】
計測位置において、これらの２つの前部軸及び横断軸Ａ４、Ａ５は、実質的に水平となる。
【００５４】
図３に示されているように、着用者１の片眼瞳孔間距離ＥＧ、ＥＤは、着用者１の２つの眼２０Ｇ、２０Ｄの回転中心ＯＧ、ＯＤから矢状面Ｐ２を分離する距離として定義される。
【００５５】
図１に示されているように、着用者の瞳孔高さＨＧ、ＨＤは、これら自体としては、それぞれの取得された画像内において、（実際には、着用者１の瞳孔２１Ｇ、２１Ｄの中心と画像内において一致する）着用者１の眼２０Ｇ、２０Ｄの回転中心ＯＧ、ＯＤと対応したボクシングシステムボックス１５１Ｇ、１５１Ｄの下部エッジを分離する距離として定義される。
【００５６】
図３に示されているように、更に、水平面及び垂直面が、画像センサ２１０との関係において定義され、これらの面の交差部は、画像センサ２１０の光軸Ａ２と一致している。
【００５７】
この結果、理想的には、そのフランクフルト面Ｐ３が画像センサ２１０の水平面と一致すると共に、その矢状面Ｐ２が画像センサ２１０の垂直面と一致するように、着用者１の頭部１０を配置することが求められる。
【００５８】
実際には、これらの面の間におけるわずかなずれが一般に観察され、このずれは、計測を損ないがちである。
【００５９】
このずれは、３つの角度、即ち、ロール角β、ピッチ角δ、及びヨー角αによって計測されることがあり、これらの角度は、着用者１の頭部１０が自由に回転する３つの方式に対応している。
【００６０】
即ち、ヨー角αは、（光軸Ａ２と対向する）着用者の頭部１０の理想的な位置と着用者の頭部１０の実際の位置の間における長手方向軸Ａ１を中心とした着用者１の頭部１０の回転角として定義されることになる。このヨー角αは、画像センサ２１０の水平面内において計測されることになる。
【００６１】
ロール角βは、着用者の頭部１０の理想的な位置と着用者の頭部１０の実際の位置の間における前部軸Ａ４を中心とした着用者１の頭部１０の回転角として定義されることになる。このロール角βは、観察可能軸Ａ３の傾斜に応じて、それぞれの取得された画像上において容易に計測可能となる。
【００６２】
ピッチ角δは、（光軸Ａ２と対向する）着用者の頭部１０の理想的な位置と着用者の頭部１０の実際の位置に間における横断軸Ａ５を中心とした着用者１の頭部１０の回転角として定義されることになる。このピッチ角δは、画像センサ２１０の垂直面内において計測されることになる。
【００６３】
図４は、本発明による方法の実装を許容すると共に、更に一般的には、ディスプレイレンズ１５０Ｇ、１５０Ｄの代わりに着用者１によって選択された眼鏡フレーム１１０内に装着される眼科レンズを注文するために必要とされるデータの計測及び取得を許容する装置２００を示している。
【００６４】
この装置は、眼鏡フレームの陳列装置及び計測センタの役割をも同時に果たす眼鏡キオスク２００の形態を有する。
【００６５】
この目的のために、この装置は、少なくとも１つのマウンティング２０１と、光源２２０、２３０、２４０と、画像センサ２１０と、処理ユニット２５０と、を有する。
【００６６】
好ましくは、光源２２０、２３０、２４０は、赤外線を放出し、且つ、画像センサ２１０は、赤外線画像をキャプチャする。
【００６７】
ここで使用されることになる赤外線の領域は、近赤外線であり、その波長は、７８０〜１４００ｎｍに含まれる。
【００６８】
具体的には、赤外光の使用は、いくつかの利点を有する。赤外光を使用すれば、特に、眼鏡１００のディスプレイレンズ１５０Ｇ、１５０Ｄ上において反射する外部又は内部光の結果としてもたらされる寄生反射を回避することができる。又、赤外光を使用すれば、着用者１が計測の際に眩しさを感じることを防止することもできる。最後に、赤外光を使用すれば、ディスプレイレンズ１５０Ｇ、１５０Ｄが着色されている際にも、画像センサ２１０によって取得された画像内の着用者１の眼を観察することができる。
【００６９】
眼鏡キオスクが立っている床に対して固定された状態で画像センサ及び光源が保持されるように、マウンティングを単一の部品から構成することができよう。この場合には、その頭部が画像センサの視野内に配置されるように着用者を配置できるように、高さ調節可能な椅子を提供することが必要となろう。
【００７０】
対照的に、図４に示されているキオスク２００の実施形態においては、マウンティング２０１は、地面に配置される基部２０２と、垂直軸Ａ８に沿って基部２０２に対して平行運動するように取り付けられると共に光源２２０、２３０、２４０及び画像センサ２１０を保持するスライド２０５と、を有する。
【００７１】
従って、画像センサ２１０の位置は、着用者１のサイズに応じて、高さ調節可能である。
【００７２】
基部２０２は、更に正確には、垂直軸Ａ８に沿って細長くなっており、且つ、正方形の水平方向断面を有する中空平行六面体の形状を有する。
【００７３】
この基部２０２は、地面上に配置された壁によって閉鎖された下端部と、スライド２０５が挿入される開放した上端部と、を有する。
【００７４】
この目的のために、このスライド２０５は、中空平行六面体の形状を有し、水平方向断面の外側寸法は、基部２０２の内側寸法に等しく、これにより、スライドが基部２０２内において摺動できるようになっている。
【００７５】
このスライド２０５は、基部２０２の内部に開放した下端部と、フラットな壁によって閉鎖された上端部と、を有する。
【００７６】
スライド２０５は、スライド２０５を２つの（高い及び低い）停止位置の間において垂直軸Ａ８に沿って平行運動方式でガイドできるように、基部２０２の両側に生成された２つの垂直方向の長い孔２０３に挿入される２つの突出ピン２０４を両側に有する。
【００７７】
更には、スライド２０５が基部２０２内において望ましい高さに上昇及び降下できるようにする動力化された作動手段（図示せず）が設けられる。
【００７８】
基部２０２内におけるスライド２０５の高さを判定するための手段（例えば、ラックと関連するエンコーダホイール）も設けられる（図示せず）。
【００７９】
マウンティング２００は、着用者１に対向する前面を有する２つの横方向ウィング２０６、２０７を更に有する。
【００８０】
これら２つの横方向ウィング２０６、２０７は、垂直壁によって形成されおり、これらの垂直壁は、前方にわずかに湾曲すると共に基部２０２の両側においてヒンジで取り付けられており、基部の両側には、垂直方向の長い孔２０３が設けられている。
【００８１】
更に、これらのウィング２０６、２０７の前面は、フック（図示せず）を装備しており、このフックには、着用者によって選択される眼鏡フレームが載置される。
【００８２】
図４においては、スライド２０５が、計測位置において着用者１の頭部１０を照射するのに適した少なくとも２つの（ここでは、３つの）赤外光源２２０、２３０、２４０を保持していることが観察されよう。
【００８３】
これらの光源２２０、２３０、２４０は、好ましくは、画像センサ２１０の垂直面内において、画像センサのいずれかの側に分散されている。
【００８４】
これらの３つの光源２２０、２３０、２４０は、ここでは、スライド２０５に対して平行移動しない状態となるように取り付けられており、且つ、複数の発光ダイオード（ＬＥＤ）から形成されている。
【００８５】
主光源と呼ばれる光源のうちの１つ２２０は、画像センサ２１０から小さな距離だけ（即ち、ここでは、画像センサから１０ｃｍ未満だけ）離れたところに配置されている。これは、円として分散された複数のＬＥＤから構成されている。これらのＬＥＤは、スライド２０５に対して直接固定されている。図４に示されているように、この主光源２２０は、画像センサ２１０の上方に配置されている。
【００８６】
２次光源と呼ばれる２つのその他の光源２３０、２４０は、画像センサ２１０の下方において、上下に配置されている。これらは、それぞれ、主光源２２０内において使用されているＬＥＤの数に等しい数のＬＥＤから構成されており、これらのＬＥＤは、２つの同心円として分散されている。これらは、主光源２２０によって放出される光の強度よりも小さな強度の光を放出する。２次光源２３０、２４０によって放出される光強度は、主光源２２０によって放出される強度と同様の方式で調節可能である。
【００８７】
これら２つの２次光源２３０、２４０は、２つの別個の水平回転軸Ａ６、Ａ７を中心としてスライド２０５に対して回転移動できるように取り付けられた支持部２３１、２４１に固定されている。この可動性により、これらの２次光源２３０、２４０を着用者１の頭部１０に向って手動で方向付けすることができる。
【００８８】
３つの光源２２０、２３０、２４０は、更に正確には、着用者１が着用した眼鏡１００のディスプレイレンズ１５０Ｇ、１５０Ｄ上に別個の反射を形成するように設計されている。
【００８９】
従って、すべての光源２２０、２３０、２４０が２つのディスプレイレンズ１５０Ｇ、１５０Ｄ上において反射された際に、画像センサ２１０は、６つのガラス反射を観察することになる。
【００９０】
３つの光源２２０、２３０、２４０を使用することにより、画像センサ２０１は、着用者１の頭部のピッチ角δとは無関係に、これらの反射のうちの少なくともいくつかを観察することができる。具体的には、着用者１がその頭部を前方に傾斜させた際には、画像センサ２１０によって観察される反射は、ずり上がり、且つ、最終的には、ディスプレイレンズ１５０Ｇ、１５０Ｄから離脱することになることを理解されたい。
【００９１】
更に、３つの光源２２０、２３０、２４０は、着用者１のそれぞれの眼の上部に、角膜反射と呼ばれる単一の反射を形成する。
【００９２】
図６は、光源２２０、２３０、２４０のうちの２つのみが、２つのディスプレイレンズ１５０Ｇ、１５０Ｄ上において反射している状況を示している。即ち、主光源２２０及び２次光源のうちの１つ２３０によって生成された４つのガラス反射１６０Ｇ、１６０Ｄ、１６１Ｇ、１６１Ｄと、２つの角膜反射１６２Ｇ、１６２Ｄと、が２つのディスプレイレンズ１５０Ｇ、１５０Ｄ上において観察される。対照的に、第３光源２４０は、ディスプレイレンズ１５０Ｇ、１５０Ｄ上に反射を生成するには、着用者１の頭部のピッチ角δに対して低く過ぎる。
【００９３】
当然のことながら、一変形として、キオスクが、１つの単一の赤外光源のみを有するようにすることもできよう。
【００９４】
この１つの赤外光源は、画像センサに対して予め設定された位置において固定された状態で取り付けることができよう。この場合には、検出可能な角膜反射を生成するべく、極めて大きなサイズの光源を使用することが好ましいであろう。更には、この光源は、フレーム平均装用時前傾角を考慮した場合に、着用者１の頭部１０が理想的に配置された際に（フランクフルト面Ｐ３が画像センサ２１０の水平面と一致し、且つ、矢状面Ｐ２が画像センサ２１０の垂直面と一致している際に）、生成される２つのガラス反射が、実質的に、ディスプレイレンズ１５０Ｇ、１５０Ｄの真ん中に（即ち、フレームの２つのボクシングシステムボックスの中心を通過する軸上に）配置されるように、配置しなければならないであろう。
【００９５】
従って、画像センサがディスプレイレンズ上においてこの光源の反射を観察できるように着用者の頭部のピッチ角が小さなものに留まっていることを計測の際にチェックすることが推奨されよう。
【００９６】
別の変形形態によれば、場合により、この単一の光源は、着用者の頭部のピッチ角を補償するために、画像センサに対して垂直に平行移動可能となるように取り付けられることになろう。
【００９７】
図４に示されているように、キオスク２００は、ここでは、水平方向の光軸Ａ２を有する１つの単一の画像センサ２１０を有する。
【００９８】
この場合には、この画像センサは、近赤外線において且つ可視光において画像を取得するのに適したビデオカメラ２１０によって形成されている。
【００９９】
この場合には、このビデオカメラは、ＦＣＢ−ＥＸ４９０という型名のＳｏｎｙ（登録商標）製ビデオカメラである。このビデオカメラは、ビデオカメラ２１０が可視領域において画像（以下、「可視画像」と呼ぶ）を取得できるように赤外光をフィルタリングする通常位置と、赤外光がセンサまで通過できるようにすることにより、赤外線領域において画像（以下、「赤外線画像」と呼ぶ）を取得できるようにする退却位置と、の間において切替可能な赤外線フィルタを装備している。
【０１００】
従って、このビデオカメラは、着用者の赤外線画像を取得するのに適しており、この赤外線画像には、ガラス反射及び角膜反射が明瞭に表れており、且つ、この着用者の可視画像により、着用者は、選択された眼鏡１００が着用者に似合っていることをチェックすることができる。
【０１０１】
当然のことながら、一変形形態として、場合により、１つのビデオカメラではなく、赤外線画像を取得するのに適したものと、可視画像を取得するのに適したもう１つのものという２つの別個のビデオカメラが設けられることになる。
【０１０２】
ここで、スライド２０５の前面壁は、マジックミラーによって閉鎖されたウィンドウを含んでおり、この背後に、ビデオカメラ２１０が配置されている。従って、ビデオカメラ２１０は、キオスク２００の外部からは、観察できないが、ビデオカメラは、キオスク２００の前面に位置した人物の画像を取得するのに適した状態に留まっている。
【０１０３】
この場合に、ビデオカメラ２１０は、その対物レンズがこのマジックミラーの背面と接触した状態で又はその近傍に配置されるように、キオスク２００内に設置されている。
【０１０４】
更に、カメラ２１０の対物レンズは、寄生反射が取得された画像内に現れることを防止する不透明な側壁によって取り囲まれている。
【０１０５】
この例においては、ビデオカメラの全体が、ここでは、対物レンズが出現する開口部によって前方に開放した不透明なハウジング内に収容されており、このハウジングは、マジックミラーの背面との接触状態において配置されている。
【０１０６】
更には、眼鏡キオスク２００は、計測位置において着用者１によって観察されるように、ビデオカメラ２１０の対物レンズの隣に、且つ、ビデオカメラ２１０の対物レンズから小さな距離だけ離れるように、配置された少なくとも１つのターゲット３１０を有する。
【０１０７】
ここで、このターゲット３１０は、ビデオカメラ２１０の対物レンズと２次光源２３０、２４０の間においてスライド２０５の壁に生成されたウィンドウ２０８を有し、このウィンドウ２０８を通じて、ＬＥＤが観察されることになる。実際には、このＬＥＤは、ここでは、マウンティング２００の基部２０２内に配置されており、且つ、ミラーの組により、ウィンドウ２０８に向って反射されている。
【０１０８】
このターゲット３１０により、計測の際に、着用者１の凝視をビデオカメラ２１０の対物レンズに向かって引き付けることができる。
【０１０９】
ビデオカメラ２１０の水平面内において、マウンティング２００のウィング２０６、２０７のうちのそれぞれのウィングの外部エッジ上に配置された２つの更なるターゲット３２０、３３０も設けられている。
【０１１０】
本明細書の残りの部分において更に詳述されるように、これらの追加のターゲット３２０、３３０により、この着用者１が、ある程度その頭部１０又はその眼２０Ｇ、２０Ｄを移動させることによってその凝視を回転させる傾向を有するかどうかを判定するために、着用者１の凝視をキオスク２００の一側部に向って、且つ、次いで、他側部に向かって、順番に引き付けることができるようになる。
【０１１１】
更には、ビデオカメラ２１０によって取得された可視画像が十分に露光するように着用者１の頭部１０を照射する、マウンティング２００の２つのウィング２０６、２０７の上部エッジにおいてそれぞれ位置決めされた、２つの蛍光管２６０も設けられている。
【０１１２】
これらの２つのウィング２０６のうちの一方の内部には、取得された可視画像を表示する手段２７０及び印刷する手段２８０が設けられている。
【０１１３】
ここで、表示手段は、計測位置において着用者１にとって可視状態となるように、ウィング２０６の前面に固定されたタッチスクリーン２７０から構成されている。
【０１１４】
印刷手段は、眼科レンズ用の注文データを要約するシートを印刷するように設計されており、このシート上には、着用者の写真が表示される。
【０１１５】
更には、着用者１の処方箋を読み取る手段が設けられている。
【０１１６】
この場合には、印刷手段と読取り手段は、１つにマージされており、且つ、マウンティング２００のウィング２０６の前面に凹入した状態で設けられたハウジング内に配置された単一の多機能カラープリンタ２８０から構成されている。
【０１１７】
当然のことながら、一変形形態として、要約シートを印刷するものと、処方箋を読み取るもう１つのものという２つの別個の装置を提供することもできよう。
【０１１８】
最後に、２つのウィング２０７のうちの他方の上部には、眼鏡１００の少なくとも１つの寸法を取得する手段が設けられている。具体的には、ビデオカメラ２１０によって取得された画像は、着用者１の眼鏡１００の寸法の判定を許容していない。従って、取得された画像をスケーリングする必要がある。
【０１１９】
上述の取得手段２９０は、様々な形態をとってもよい。
【０１２０】
好ましくは、これらは、データベースに接続されたバーコード読取機２９０を有しており、データベースは、そのそれぞれの記録が眼鏡フレームモデルと関連付けられており、且つ、この眼鏡フレームモデルと関係する識別子及びデータを有する。
【０１２１】
この例においては、それぞれの記録の識別子は、眼鏡フレームモデルに割り当てられたバーコードの数字によって形成されている。
【０１２２】
それぞれの記録内に記憶されているデータは、この場合には、
−  ２つのテンプル１１２Ｄ、１１２Ｇの間において計測された対象モデルの眼鏡フレームの合計幅と、
−  これらの眼鏡フレームのリムのボクシングシステムボックス１５１Ｇ、１５１Ｄの高さ及び長さの比率と、
−  これら２つのボクシングシステムボックス１５１Ｇ、１５１Ｄを分離している距離と、
を含む。
【０１２３】
当然のことながら、データベースのそれぞれの記録内に記録されているデータは、相対的に少ない数の要素（例えば、眼鏡フレームの合計幅のみ）又は相対的に多くの数の要素（例えば、リムの正確な形状、眼鏡フレームの材料、眼鏡フレームの装用時前傾角及び顔形角など）を含むことができよう。
【０１２４】
一変形形態として、これらの取得手段は、販売員が、
−  販売員が定規を使用して予め計測しておいた選択された眼鏡フレーム１１０の幅を入力し、且つ、
−  取得された画像上において、販売員がフレームの幅を計測した２点において２つのカーソルを位置決めする、
ことができるようにする単純なキーボード（物理的なキーボード又はタッチスクリーン上に表示されたキーボード）のみを有することもできよう。
【０１２５】
更に別の変形形態として、これらの取得手段は、ビデオカメラによって取得されたそれぞれの画像内において、その寸法が既知であり、これにより、この画像のスケーリングを可能にする基準を得るべく、（クリップファスナ、接着接合、又は任意のその他の手段によって）選択された眼鏡フレームに装着される既知の寸法の単純なゲージのみを有することもできよう。
【０１２６】
図４に示されているように、眼鏡キオスク２００の処理ユニット２５０の部分は、マウンティング２００の基部２０２内に収容されている。これは、キオスク２００の様々な電子コンポーネントを制御するように、且つ、ビデオカメラ２１０によって取得された画像を処理するように、設計されている。
【０１２７】
この目的のために、この処理ユニット２５０は、プロセッサ（ＣＰＵ）と、ランダムアクセスメモリ（ＲＡＭ）と、読出し専用メモリ（ＲＯＭ）と、アナログ−デジタル（Ａ／Ｄ）コンバータと、様々な入力、出力、及び通信インターフェイスと、を有する。
【０１２８】
その入力インターフェイスにより、処理ユニット２５０は、ビデオカメラ２１０によって取得される画像、前記判定手段によって計測された基部２０２内のスライド２０５の高さ、及びバーコード読取機２９０によって読み取られた選択された眼鏡フレームのバーコードの数字を受け取るのに適している。
【０１２９】
従って、処理ユニット２５０は、そのランダムアクセスメモリ内に、これらの様々なデータを連続的に保存する。
【０１３０】
その読出し専用メモリ内に保存されているソフトウェアプログラムにより、処理ユニット２５０は、本記載の残りの部分に記述されている方法の全体を実装するのに適している。従って、この処理ユニットは、例えば、望ましい高さにおいてスライドを位置決めするべく、スイング２０５を作動させる手段を制御するための信号を生成し、且つ、眼科レンズを注文するためのデータを含む信号を伝達するのに適している。
【０１３１】
その出力インターフェイスにより、処理ユニット２５０は、これらの出力信号をキオスク２００の様々な電子コンポーネントに、特に、ビデオカメラ２１０に、光源２２０、２３０、２４０に、タッチスクリーン２７０に、多機能プリンタ２８０に、ターゲット３１０、３２０、３３０に、且つ、スライド２０５を作動させる手段に、送信するのに適している。
【０１３２】
その通信インターフェイスにより、処理ユニット２５０は、通信信号を眼科レンズを製造するセンタに送信するのに適している。最後に、キオスク２００の電源を投入するスイッチが設けられている。
【０１３３】
着用者１の到着の前に、販売員は、キオスク２００の電源を投入するが、これは、この目的のために設けられたスイッチを使用することによって実行される。
【０１３４】
電源投入の際に、制御ユニットは、キオスク２００のマウンティング２０１のウィング２０６、２０７の陳列装置上の眼鏡を照射するように、蛍光管２６０の電源を制御する。
【０１３５】
３つの赤外光源２２０、２３０、２４０は、消灯された状態に留まる。
【０１３６】
次に、人物が現れた際に、人物は、画面上の指示メッセージを読み取った後に、キオスク２００のマウンティング２０１のウィング２０６、２０７の陳列装置上のすべての眼鏡から１つの眼鏡１００を選択する。図面に示されている例においては、選択された眼鏡は、フルリム眼鏡である。次に、画面上に表示された指示メッセージに従って、人物は、プロトコルの残りの部分のために、販売員を呼び出す。
【０１３７】
次いで、選択された眼鏡フレーム１１０の特徴的な寸法を判定するための作業が実行される。
【０１３８】
上述のように、この作業は、特に、取得された画像のスケーリングを可能にするべく、実行される。
【０１３９】
この作業の際に、販売員は、バーコード読取機２９０の前面において、選択された眼鏡フレーム１１０のバーコードを通過させる。次いで、処理ユニット２５０は、バーコードの数字により、この眼鏡フレーム１１０に対応する記録についてデータベース記録をサーチし、次いで、処理ユニット２５０は、眼鏡フレーム１１０の合計幅、この眼鏡フレーム１１０のリム１１１Ｄ、１１１Ｇのボクシングシステムボックス１５１Ｇ、１５１Ｄの高さと幅の比率、及びこれらの２つのボクシングシステムボックス１５１Ｇ、１５１Ｄを分離している距離からなるデータを取得し、且つ、その読出し専用メモリ内に保存する。
【０１４０】
当然のことながら、上述のように、このバーコード読取作業は、例えば、販売員が、定規を使用して眼鏡フレームの合計幅を計測するステップと、タッチスクリーン上に表示された仮想的なキーボード上において前記幅を入力するステップと、取得された画像上において、販売員がフレームの幅を計測した２つの点において２つのカーソルを位置決めするステップと、からなる相対的に単純な作業によって置換することができよう（この２つの点を位置決めする作業は、場合により、一変形形態として、自動的に実行される）。
【０１４１】
次いで、着用者が検眼師から予め入手しておいた着用者の処方箋を取得する作業が行われる。
【０１４２】
これらの処方箋は、一般に、処方箋フォーム上に記述されており、且つ、具体的には、レンズのタイプ（単焦点、二重焦点、多重焦点、着色レンズなど）と、レンズが着用者の視覚的な欠陥を矯正しなければならない屈折力（即ち、その球面、円筒、及びプリズムジオプトリ及びその円筒軸）と、を含む。これらは、当然のことながら、二重焦点又は多重焦点レンズの場合における累進（ａｄｄｄｉｔｉｏｎ）などのその他の情報を含んでもよい。
【０１４３】
次いで、この作業において、販売員は、処方箋フォームを取得し、且つ、処理ユニット２５０がこの処方箋フォームの読み取られた画像をその読出し専用メモリ内に保存するように、多機能プリンタ２８０を使用して処方箋フォームを読み取る。
【０１４４】
又、販売員は、着用者が自身の眼科レンズ上において所望する処理（反射防止や疎水性など）を選択し、この情報を、タッチスクリーン２７０上において、処理ユニット２５０によってこの目的のために表示されたフィールド内に入力するように、着用者に求めてもよい。
【０１４５】
この情報が取得されると、処理ユニット２５０は、第１ターゲット３１０の電源を投入する。
【０１４６】
又、処理ユニットは、タッチスクリーン２７０上に、
−  計測作業を開始してもよいことを通知するメッセージと、
−  ビデオカメラ２１０によって「リアルタイムで」取得された画像と、
−  スライド２０５を上又は下に移動させるための、一方は、上を指し、他方は、下を指している反対に方向付けされた２つの矢印と、
を表示する。
【０１４７】
次いで、販売員は、まず、着用者１に対して、その眼鏡を着用し、且つ、後続する試験のすべてにおいてその眼鏡を着用したままでいるように促す。
【０１４８】
本記載の残りの部分において詳述するように、これらの試験においては、次いで、キオスク２００は、着用者１の片眼瞳孔間距離ＥＧ、ＥＤ及び瞳孔高さＨＧ、ＨＤと、眼鏡フレーム１１０と着用者１のそれぞれの眼の間の距離ＶＧ、ＶＤ（図８）及びその凝視の移動行動などのような高度な個人化パラメータと、を判定することを許容することになる。
【０１４９】
これを実行するために、販売員は、着用者１に対して、計測位置においてキオスク２００に対向した状態となり、且つ、そのフランクフルト面Ｐ３が実質的に水平になると共にその矢状面Ｐ２が実質的に垂直になるように、その頭をまっすぐに維持したまま第１ターゲット３１０を見るように求める。
【０１５０】
この場合に、着用者１は、自身がキオスク２００のマウンティング２０１のスライド２０５と対向した状態において起立した状態となるように促される。
【０１５１】
次いで、販売員は、スライド２０５の位置を着用者１の高さに適した高さに調節する。この目的のために、販売員は、着用者１の顔のすべてがビデオカメラ２１０によって取得されると共にタッチスクリーン２７０上に表示される画像内に現れるような高さに位置する時点まで、タッチスクリーン２７０上に表示された矢印を使用し、スライド２０５の上向き又は下向きの動きを制御する。
【０１５２】
この結果、この位置において、着用者１の顔の全体がビデオカメラ２１０の視野に収容される。
【０１５３】
このビデオカメラ２１０を着用者１の頭部１０の高さに位置決めする作業は、当然のことながら、別の方法によって実行することもできよう。
【０１５４】
即ち、この作業は、処理ユニットによって自動的に実行することも可能であり、処理ユニットが、ビデオカメラによって取得された画像内において眼鏡フレームを認識するようにビデオカメラによって取得された画像を処理し、且つ、相応してビデオカメラによって取得された画像の中心において眼鏡フレームを見出すような高さにスイングを制御することになろう。
【０１５５】
一変形形態として、画像センサが地面に対して移動自在に取り付けられていない場合には、この位置決め作業は、場合により、その高さが予め調節されている椅子に着座するように着用者に対して求めることにより、実行されることになる。
【０１５６】
このビデオカメラ２１０に対して着用者１を位置決めする作業が実行されると、販売員は、タッチスクリーン２７０上に表示された特別なボタンを押下することにより、計測値の取得を開始する。
【０１５７】
次いで、制御ユニット２５０は、３つの赤外光源２２０、２３０、２４０を公称強度に点灯させる。
【０１５８】
当然のことながら、制御ユニットは、外部光が計測を妨げることを防止するべく、外部光の強度に応じて、この強度を調整することができよう。但し、赤外光を使用することにより、公称強度でほぼ十分な程度にまで、これらの妨害を制限することができる。
【０１５９】
この結果、３つの別個の光源２２０、２３０、２４０を使用することにより、当然のことながら、着用者１がその頭部を後ろに回転させない限り、眼鏡１００のそれぞれのディスプレイレンズ１５０Ｇ、１５０Ｄ上における少なくとも１つの反射の存在が保証される。
【０１６０】
キオスクが、ビデオカメラに対して高さにおいて移動可能な１つの光源しか有していない変形形態においては、ビデオカメラと対向するように着用者を位置決めする作業は、光源を位置決めするための自動的な作業に準じたものとなろう。この作業においては、処理ユニットは、光源の高さを変化させることになり、且つ、ガラス反射がディスプレイレンズ上においてセンタリングされる高さにおいて光源を固定するために、ビデオカメラによって取得された画像を処理することになろう。
【０１６１】
いずれの場合にも、次いで、販売員は、（「いいえ」と言うようにその頭部を振るように）その頭部１０を長手方向軸Ａ１を中心として右から左に且つ左から右に回転させるように着用者１に対して求める。
【０１６２】
着用者は、この移動が低速において（１秒よりも長い期間にわたって）小さな振幅（約１０度）によって実行されなければならない旨の指示を受ける。
【０１６３】
一変形として、ビデオカメラ及び光源が着用者の頭部の長手方向軸を中心として一緒に回転するように、ビデオカメラ及び光源を移動自在に取り付けることもできよう。この結果、着用者は、その頭部を移動させる必要がなくなろう。
【０１６４】
次に、着用者１が要求された方式でその頭部の回転を開始した際に、販売員は、計測を開始するためのボタンを押下するが、前記ボタンは、タッチスクリーン２７０上に表示されている。
【０１６５】
次いで、ビデオカメラは、複数の赤外線画像を取得し、これらの画像の上には、着用者１の頭部１０とその眼鏡１００が表れている。
【０１６６】
取得された画像は、まず、処理ユニット２５０のランダムアクセスメモリ内に保存される。次いで、使用可能であると判定された特定の画像が、処理ユニット２５０によって選択され、且つ、その読出し専用メモリ内に保存される。取得された画像の選択は、以下の方法によって実行される。
【０１６７】
取得された画像は、複数のガラス反射（最大で６つ）を収容することになり、様々な基準に基づいて、特に、その
−  形状（幅、高さ、幅／高さ比）と、
−  強度（輝度）と、
に基づいて、それぞれのガラス反射１６０Ｇ、１６０Ｄ、１６１Ｇ、１６１Ｄを採点する。
【０１６８】
更には、その他の基準に従って、特に、
−  反射の間の距離と、
−  ボクシングシステムボックスの水平方向軸との関係におけるその水平性と、
−  反射のエリアの比較と、
に従って、反射のそれぞれのペア（所与の光源によって生成され、且つ、それぞれ、２つのディスプレイレンズによって反射されたもの）を採点する。
【０１６９】
ここで、それぞれの基準に由来する採点は、２値ではない。
【０１７０】
例えば、採点は、
−  基準が、（処理ユニット２５０の読出し専用メモリ内において予め設定及び保存された）その公称値の９０％〜１１０％に含まれる場合には、採点が１に等しく、
−  基準がその公称値の１２０％超であるか又はその７０％未満である場合には、採点が０に等しく、且つ、
−  採点が、７０％〜９０％の間において、且つ、１１０％と１２０％の間において、線形で変化するように、
０と１の間において連続的に変化するようにしてもよい。
【０１７１】
又、ガラス反射に対して適用される基準は、必要な変更を加えて、角膜反射１６２Ｇ、１６２Ｄに適用してもよい。角膜反射に適用される更なる基準は、観察可能軸Ａ３からそれぞれの角膜反射を分離している距離となる。
【０１７２】
従って、画像が選択される可能性は、様々な上述の基準に由来する採点の積に伴って増大する。
【０１７３】
例えば、選択される画像が、その採点の積が予め設定された閾値を上回っているものとなるようにしてもよい。
【０１７４】
一変形として、選択される画像が、その採点の積が最大であるものとなるようにしてもよい。
【０１７５】
更には、画像に由来する採点のうちの１つが別の予め設定された閾値を下回っている場合に、その画像が自動的に拒絶されるようにしてもよい。
【０１７６】
従って、取得された画像内において、着用者１が、その頭部を過大なヨー角αだけ回転させており、且つ、ガラス反射がもはやディスプレイレンズ１５０Ｇ、１５０Ｄのアウトライン内に存在していない場合には、この画像は、自動的に拒絶される。
【０１７７】
更には、取得された画像内において、着用者１がその頭部を過大なロール角βだけ傾斜させており、且つ、所与の光源によって生成されたガラス反射が２つのディスプレイレンズ上において高さにおいてオフセットされている場合に、オフセットが真に過大である場合には、この画像は、場合により、拒絶されることになり、或いは、その他の基準に由来する採点が高い場合には、この画像は、場合により、選択されることになる。
【０１７８】
この結果、処理ユニット２５０は、方法の残りの部分において使用可能である限られた数の赤外線画像を得る。
【０１７９】
本記載においては、わかりやすくするために、処理ユニット２５０は、図５〜図７に示されている３つの赤外線画像３０１、３０２、３０３のみを選択したものと見なすこととする。
【０１８０】
好ましくは、処理ユニットは、少なくとも１０個の異なる画像を選択した際に、画像の取得を停止することになる。
【０１８１】
次に、処理ユニット２５０は、着用者１の顔の可視画像を保存するために、ビデオカメラ２１０の赤外線フィルタを切り替える。
【０１８２】
処理ユニットは、同時に、赤外光源２２０、２３０、２４０を消灯し、且つ、タッチスクリーン２７０上にメッセージを表示することにより、着用者がその頭部の回転を停止できることを着用者に対して通知する。
【０１８３】
従って、このメッセージは、処理ユニット２５０が予め設定された数の、ここでは、１０に等しい数の、画像を選択した後に、表示される。
【０１８４】
一変形として、十分に大きな数の使用可能な画像の取得を可能にするのに十分に長いと考えられる、例えば、１０秒に等しいものなどの、予め設定された長さの時間の後に、このメッセージを表示するようにすることもできよう。この場合には、画像は、場合により、すべての画像が取得された後に、後から選択することができよう。
【０１８５】
画像３０１、３０２、３０３が選択されると、処理ユニット２５０は、これらの画像のそれぞれにおいて、着用者１の頭部１０のヨー角αを算出する。
【０１８６】
このヨー角αは、それぞれの画像３０１、３０２、３０３内において、着用者１の頭部の矢状面Ｐ２に対してガラス反射１６０Ｄ、１６０Ｇ、１６１Ｄ、１６１Ｇを見出すことにより、算出される。
【０１８７】
ここで、このヨー角αは、更に正確には、眼鏡フレームの観察可能軸Ａ３に対してガラス反射１６０Ｄ、１６０Ｇ、１６１Ｄ、１６１Ｇを見出すことにより、判定される（その理由は、その位置が、眼鏡フレーム１１０の中央面Ｐ１と矢状面Ｐ２の交差部に実質的に対応しているからである）。
【０１８８】
眼鏡フレーム１１０の観察可能軸Ａ３の位置は、
−  それぞれの画像３０１、３０２、３０３内において、眼鏡フレーム１１０を、且つ、特に、この眼鏡フレームのリム１１１Ｄ、１１１Ｇを、見出すステップと、
−  それぞれの画像３０１、３０２、３０３上において、ボクシングシステムボックス１５１Ｇ、１５１Ｄを位置決めするステップと、
−  観察可能軸Ａ３に実際には対応しているこれら２つのボクシングシステムボックスの間を通過する軸の位置を判定するステップと、
からなる３つのステップによって得られる。
【０１８９】
ここで、赤外光を使用することにより、そのアウトラインが着用者１の顔のアウトラインから明瞭に突き出ている眼鏡フレーム１１０を見出すことが容易になる。
【０１９０】
この結果、それぞれの画像３０１、３０２、３０３内の着用者１の頭部１０のヨー角αは、観察可能軸Ａ３からガラス反射１６０Ｄ、１６０Ｇ、１６１Ｄ、１６１Ｇを分離している距離の関数として算出される。
【０１９１】
通常、図５〜図７に明瞭に示されているように、処理ユニット２５０は、それぞれの画像３０１、３０２、３０３内において、２つの最大ガラス反射１６０Ｇ、１６０Ｄの中心から観察可能な軸Ａ３を分離している距離ＸＤ301、ＸＧ301、ＸＤ302、ＸＧ302、ＸＤ303、ＸＧ303を判定する（主光源によって生成されるガラス反射が、取得された画像内に現われていない場合にのみ、２次光源によって生成されたガラス反射が使用される）。
【０１９２】
次いで、それぞれの画像３０１、３０２、３０３内の着用者１の頭部１０のヨー角αiが、次の方式で判定される。
αi＝ｋ．（ＸＧi-ＸＤi）／（ＸＧi＋ＸＤi）
ここで、ｉは、３０１〜３０３の範囲である。
【０１９３】
この場合に、係数ｋは、眼鏡フレームの顔形（ｆａｃｅ  ｆｏｒｍ）と関係する定数である。
【０１９４】
この係数ｋは、場合により、処理ユニット２５０の読出し専用メモリ内に保存された予め設定されると共に不変である定数によって形成されることになる。従って、定数ｋは、着用者によって選択された眼鏡フレームとは無関係に、常に同一となる。従って、この係数ｋは、場合により、眼鏡フレームの代表的なサンプルに基づいて実験的に判定されることになり、且つ、従って、約４０°に等しくなるように選択されることになる。
【０１９５】
一変形として、この係数ｋは、場合により、顧客によって選択された眼鏡フレームと関連する予め設定された定数によって形成されることになる。従って、この変形においては、この係数ｋは、それぞれの眼鏡フレームモデルについて実験的に判定されることになり、次いで、着用者１の頭部１０のヨー角αiの計算の際にアクセス可能となるように、データベース内に保存されることになる。
【０１９６】
このヨー角は、場合により、別の方法で判定することもできよう。
【０１９７】
一例として、眼鏡フレームが、既知の実際の距離によって分離された容易に正確に示すことができる幾何学的特徴を有する基準点のシステムを装備し、且つ、（予め１：１のスケールに設定された）取得された画像内においてこれらの幾何学的特徴を分離している距離の関数としてヨー角を判定するようにすることもできよう。このような方法については、国際特許出願公開２００８／１３２３５６号パンフレットに記述されている。
【０１９８】
この段階において、処理ユニット２５０は、そのメモリ内に保存された状態で、それぞれの選択された画像３０１、３０２、３０３内における着用者１の頭部１０のヨー角α301、α302、α303を有する。
【０１９９】
次いで、処理ユニットは、選択された画像３０１、３０２、３０３のうちの少なくとも１つの内部において、着用者１の角膜反射１６２Ｇ、１６２Ｄの位置の関数として、着用者１の片眼瞳孔間距離ＥＧ、ＥＤを判定する。
【０２００】
処理ユニットは、様々な方法により、これを実行してもよい。ここでは、２つの異なる方法について説明する。
【０２０１】
第１の方法は、選択された画像３０１、３０２、３０３から１つの画像３０２を、即ち、算出されたヨー角α302が最低であるものを、選択するステップと、次いで、この選択された画像３０２内において、着用者１の頭部１０が、顔を画像センサに向けた状態にあるものと見なすステップと、を有する。次いで、場合により、片眼瞳孔間距離ＥＧ、ＥＤが、この画像３０２から直接的に読み取られることになる。
【０２０２】
但し、この方法は、これらの画像のうちの１つが、実質的に顔を画像センサに向けた状態にあると観察される着用者１の頭部を事実上示すように、十分に大きな数の画像３０１、３０２、３０３が取得及び選択されることを必要としている。
【０２０３】
従って、この方法は、更に正確には、以下の方法によって実装される。
【０２０４】
即ち、処理ユニット２５０は、この選択された画像３０２内において、ガラス反射に対して中心がずれている角膜反射１６２Ｇ、１６２Ｄを見出す。
【０２０５】
次に、処理ユニット２５８は、これらの角膜反射１６２Ｇ、１６２Ｄのそれぞれから観察可能軸Ａ３を分離している距離ＥＧ302、ＥＤ302を判定する。
【０２０６】
次いで、これらの距離ＥＧ302、ＥＤ302をスケーリングすることにより、処理ユニット２５０による着用者１の片眼瞳孔間距離ＥＧ、ＥＤの取得を可能にする。
【０２０７】
第２の方法は、すべての選択された画像３０１、３０２、３０３を検討するステップと、次いで、統計的な方法を使用して着用者１の片眼瞳孔間距離ＥＧ、ＥＤを評価するステップと、を有する。
【０２０８】
この統計的な方法は、着用者１の片眼瞳孔間距離ＥＧ、ＥＤの評価を許容するのみならず、眼鏡フレーム１１０の中央面Ｐ１と着用者の眼２０Ｇ、２０Ｄの回転の中心ＯＧ、ＯＤを分離している眼／眼鏡距離ＶＧ、ＶＤの評価をも、許容する。
【０２０９】
従って、この統計的な方法は、着用者１の２つの眼２０Ｇ、２０Ｄのうちの１つの眼の上部において実装される。
【０２１０】
ここでは、図８に示されているように、この方法は、着用者の左片眼瞳孔間距離ＥＧ及び着用者の左眼／眼鏡距離ＶＧを判定するべく、着用者１の左目２０Ｇについて実装されることになる。
【０２１１】
一般に、統計的な方法は、それぞれの画像３０１、３０２、３０３内に現れる左角膜反射１６２Ｇにより、着用者１の左目２０Ｇの回転の中心ＯＧがその上部に位置している軸Ａ９（図８を参照されたい）が判明しており、且つ、従って、判定を要するものが、この軸Ａ９上の回転の中心ＯＧの位置のみであるという観察に基づいている。
【０２１２】
この結果、この統計的方法は、
−  それぞれの画像３０１、３０２、３０３内において、複数の眼／眼鏡距離ＶＧ１、ＶＧ２、ＶＧ３をシミュレートするステップ（ここでは、説明及び図面をわかりやすいものにするために、数は、３である）と、
−  次いで、（「シミュレートされた左片眼瞳孔間距離ＥＧ１301、ＥＧ２301、ＥＧ３301、ＥＧ１302、ＥＧ２302、ＥＧ３302、ＥＧ１303、ＥＧ２303、ＥＧ３303」と呼ばれる）これらのシミュレートされた距離のそれぞれに対応する左片眼瞳孔間距離を、これらのシミュレートされた左片眼瞳孔間距離のすべての関数として、判定するステップと、
−  シミュレートされた眼／眼鏡距離ＶＧ１、ＶＧ２、ＶＧ３のうちのいずれのものが、着用者１の実際の眼／眼鏡距離ＶＧに最も近接しているかを判定するステップと、
を有することになる。
【０２１３】
更に正確には、処理ユニット２５０は、ここでは、その読出し専用メモリ内に保存されている３つの予め設定されたシミュレートされた眼／眼鏡距離ＶＧ１、ＶＧ２、ＶＧ３を検討する。一変形として、且つ、好ましくは、処理ユニットは、むしろ、１０を上回る数のシミュレートされた眼／眼鏡距離を検討することになる。
【０２１４】
次いで、これらのシミュレートされた眼／眼鏡距離のそれぞれごとに、且つ、取得された画像のそれぞれごとに（この例においては、３０１〜３０３の範囲において変化するインデックスｉ）、処理ユニット２５０は、以下のものを反復的に算出する（１〜ｎの範囲において変化する反復インデックスｋ）。
Ｚ１i,k＝Ｚｂi＋ＶＧ１．ｃｏｓ（αi）＋ＥＧ１i,k-1．ｓｉｎ（αi）
Ｚ２i,k＝Ｚｂi＋ＶＧ２．ｃｏｓ（αi）＋ＥＧ２i,k-1．ｓｉｎ（αi）
Ｚ３i,k＝Ｚｂi＋ＶＧ３．ｃｏｓ（αi）＋ＥＧ３i,k-1．ｓｉｎ（αi）
ここで、
−  ＥＧ１i,0、ＥＧ２i,0、ＥＧ３i,0は、予め設定された値に任意に設定されており、この値は、この場合には、３２．５ｍｍに等しくなるように選択され、
−  Ｚｂiは、それぞれの画像内の観察可能軸Ａ３とビデオカメラ２１０の対物レンズの基本面Ｐ４を分離している距離であり（且つ、これは、その実際の幅との関係において考慮された画像内のフレームの幅と、着用者の頭部のヨー角αiと、を考慮することにより、容易に判定可能である）、
−  Ｚ１i,k、Ｚ２i,k、Ｚ３i,kは、着用者１の左眼２０Ｇの回転の中心ＯＧからシミュレートされた位置とビデオカメラ２１０の対物レンズの基本面Ｐ４を分離している距離である。
【０２１５】
本発明者らの表記法によれば、
−  ｘOGi及びｙOGiは、この画像の中心との関係における画像ｉ内の回転の中心ＯＧの、ピクセルを単位として表現された、座標であり、
−  Ｘ、Ｙ、Ｚは、ビデオカメラの基準のフレームにおける回転の中心ＯＧの、ｍｍを単位として表現された、座標であり、
−  Ｋは、ビデオカメラの面から１メートルに配置された物体における、ｍｍを単位として表現された、ピクセルのサイズである。
【０２１６】
この結果、以下の式が得られることになる。
Ｘ１i,k＝Ｚ１i,k．Ｋ．ｘOGi
Ｙ１i,k＝Ｚ１i,k．Ｋ．ｙOGi
Ｚ１i,k＝Ｚ１i,k
Ｘ２i,k＝Ｚ２i,k．Ｋ．ｘOGi
Ｙ２i,k＝Ｚ２i,k．Ｋ．ｙOGi
Ｚ２i,k＝Ｚ２i,k
Ｘ３i,k＝Ｚ３i,k．Ｋ．ｘOGi
Ｙ３i,k＝Ｚ３i,k．Ｋ．ｙOGi
Ｚ３i,k＝Ｚ３i,k
【０２１７】
画像ｉについて、Ｐ２iと表記されている矢状面は、例えば、以下の３つの点を含む面として定義されてもよい。
−  Ａi：２つのボクシングシステムボックス１５１Ｇ、１５１Ｄの２つの最も近接した上部コーナーを接続するセグメントの中心に対応する観察可能軸Ａ３上に位置した点
−  Ｂi：２つのボクシングシステムボックス１５１Ｇ、１５１Ｄの２つの最も近接した下部コーナーを接続するセグメントの中心に対応する観察可能軸Ａ３上に位置した点
−  Ｃi：眼鏡フレーム１１０の中央面Ｐ１に対して垂直であり、且つ、フレームの基準フレーム内におけるその座標が、ベクトルＡiＣiが座標（ｘc、ｙc、ｚc）を有し、ここで、ｘｃ＝０であり、且つ、ｙｃ＝０であるようになっている点Ａiを通過する軸上に位置した点。
【０２１８】
本発明者らの表記法によれば、
−  （ｘAi，ｙAi）は、画像ｉ内の点Ａiの座標であり、
−  ＸAi、ＹAi、ＺAiは、ビデオカメラの基準フレーム内の点Ａiの座標であり、
−  （ｘBi，ｙBi）は、画像ｉ内の点Ａiの座標であり、
−  ＸBi、ＹBi、ＺBiは、ビデオカメラの基準フレーム内の点Ｂiの座標であり、
−  ＸCi、ＹCi、ＺCiは、ビデオカメラの基準フレーム内の点Ｃiの座標であり、
−  Ｍiは、（角度α、β、及びδから構築された）ビデオカメラの空間内のフレームの属性を記述する３次元回転行列である。
【０２１９】
この結果、ビデオカメラの面Ｐ４に対する観察可能軸Ａ３の距離が判明していることから、ＺAi及びＺBiは、既知であり、従って、以下の式が得られることになる。
ＸAi＝ＺAi．Ｋ．ｘAi
ＹAi＝ＹAi．Ｋ．ｙAi
ＸBi＝ＺBi．Ｋ．ｘBi
ＹBi＝ＹBi．Ｋ．ｙBi
【０２２０】
そして、回転行列Ｍの反転の後に、次式が得られる。
（ＸCi−ＸAi）＝Ｍ-1（０，０）．ｘc＋Ｍ-1（０，１）．ｙc＋Ｍ-1（０，２）．ｚc
（ＹCi−ＹAi）＝Ｍ-1（１，０）．ｘc＋Ｍ-1（１，１）．ｙc＋Ｍ-1（１，２）．ｚc
（ＺCi−ＺAi）＝Ｍ-1（２，０）．ｘc＋Ｍ-1（２，１）．ｙc＋Ｍ-1（２，２）．ｚc
【０２２１】
ｘc及びｙcは、定義によってゼロに等しいことから、これから、以下のように推定してもよい。
ＸCi＝ＸAi＋Ｍ-1（０，２）．ｚc
ＹCi＝ＹAi＋Ｍ-1（１，２）．ｚc
ＺCi＝ＺAi＋Ｍ-1（２，２）．ｚc
【０２２２】
面Ｐ２iの３つの点の座標は、既知であることから、これらは、完全に定義され、且つ、従って、従来の方法を使用することにより、面Ｐ２i内の任意の点の距離を計算することができる。
【０２２３】
従って、具体的には、ＥＧ１i,k、ＥＧ２i,k、及びＥＧ３i,kが算出されてもよく、この場合に、
−  ＥＧ１i,kは、眼／眼鏡距離ＶＧ１を考慮することにより、面Ｐ２iから回転の中心ＯＧを分離している距離であり、
−  ＥＧ２i,kは、眼／眼鏡距離ＶＧ２を考慮することにより、面Ｐ２iから回転の中心ＯＧを分離している距離であり、
−  ＥＧ３i,kは、眼／眼鏡距離ＶＧ３を考慮することにより、面Ｐ２iから回転の中心ＯＧを分離している距離である。
【０２２４】
次いで、反復を継続するべく、これらの値を初期の式に再挿入してもよい。
【０２２５】
反復計算は、予め設定された回数の反復の後に（例えば、ｋ＝３）、或いは、２つの連続した反復において、ＥＧ１i,k及びＥＧ１i,k+1の値、ＥＧ２i,k及びＥＧ２ik+1の値、並びに、ＥＧ３i,k及びＥＧ３i,k+1の値が類似している際に（即ち、ここでは、０．１ｍｍ以内である際に）、停止する。
【０２２６】
この結果、取得されたＥＧ１i,k、ＥＧ２i,k、ＥＧ３i,kの値が、シミュレートされた片眼瞳孔間距離ＥＧ１i、ＥＧ２i、ＥＧ３iであるものと見なされる。
【０２２７】
シミュレートされた片眼瞳孔間距離ＥＧ１i、ＥＧ２i、ＥＧ３iのすべてが算出されると、処理ユニット２５０は、シミュレートされた眼／眼鏡距離ＶＧ１、ＶＧ２、ＶＧ３から、実際の値ＶＧに最も近接している距離を選択する。
【０２２８】
これを実行するために、処理ユニット２５０は、それぞれのシミュレートされた眼／眼鏡距離ＶＧ１、ＶＧ２、ＶＧ３ごとに、関連するシミュレートされた片眼瞳孔間距離ＥＧ１i、ＥＧ２i、ＥＧ３iの標準偏差σ1、σ2、σ3を判定する。
【０２２９】
一例として、第１のシミュレートされた眼／眼鏡距離ＶＧ１と関連する標準偏差σ1は、シミュレートされた片眼瞳孔間距離ＥＧ１303、ＥＧ１302、ＥＧ１303の標準偏差に等しい。
【０２３０】
従って、選択されるシミュレートされた眼／眼鏡距離ＶＧ２は、その標準偏差σ2が最小であるものである。
【０２３１】
この結果、処理ユニット２５０は、一旦、スケーリングされると、このシミュレートされた眼／眼鏡距離ＶＧ２が、着用者１の実際の眼／眼鏡距離ＶＧと等しいものと見なす。従って、処理ユニットは、その値をメモリ内に保存する。
【０２３２】
次いで、処理ユニット２５０は、この選択されたシミュレートされた値ＶＧ２と関連するシミュレートされた片眼瞳孔間距離ＥＧ２301、ＥＧ２302、ＥＧ２303の平均を計算する。
【０２３３】
次いで、処理ユニットは、一旦、スケーリングされると、この平均が、着用者１の左片眼瞳孔間距離ＥＧと等しいものと見なす。従って、処理ユニットは、その値をメモリ内に保存する。
【０２３４】
次いで、着用者１の右眼／眼鏡距離ＶＤ及び右片眼瞳孔間距離ＥＤを着用者１の左眼／眼鏡距離ＶＧ及び左片眼瞳孔間距離ＥＧと同一の方法によって判定してもよい。
【０２３５】
後続の作業において、処理ユニット２５０は、着用者１の瞳孔高さＨＧ、ＨＤを算出する（図１を参照されたい）。
【０２３６】
この場合にも、処理ユニット２５０は、様々な方法で進捗してもよい。
【０２３７】
ここでは、着用者１の頭部１０のピッチが、画像３０１、３０２、３０３において計測されることになる瞳孔高さＨＧ、ＨＤの精度に対してほとんど影響を与えないものと見なされている。
【０２３８】
従って、これらの瞳孔高さを判定するために、処理ユニット２５０は、画像３０１、３０２、３０３のうちのいずれか１つを選択し（例えば、ヨー角α302が最小であるもの）、次いで、この画像３０２内において（図６）、対応するボクシングシステムボックス１５１Ｇ、１５１Ｄの下部エッジから角膜反射１６２Ｇ、１６２Ｄのそれぞれを分離している距離ＨＧ302、ＨＤ302を判定する。
【０２３９】
これらの距離ＨＧ302、ＨＤ302は、一旦、スケーリングされると、次いで、瞳孔高さＨＧ、ＨＤであるものとして、処理ユニット２５０により、メモリ内に保存される。
【０２４０】
一変形として、処理ユニットは、場合により、着用者の瞳孔高さを得るべく、これらの距離ＨＧi、ＨＤiを画像３０１、３０２、３０３のそれぞれにおいて計測し、これらの距離を平均し、且つ、それらをスケーリングすることになる。
【０２４１】
別の変形として、瞳孔高さは、場合により、着用者の片眼瞳孔間距離を判定するために使用されたものに類似した方法を使用することにより、算出されることになる。この方法は、例えば、「はい」と言うようにその頭部を縦に振っている着用者の様々な画像を取得するステップと、これらの画像のそれぞれにおいて頭部のピッチ角を判定するステップと、ピッチ角が最小である画像内において瞳孔高さを計測するステップと、を有することになる。
【０２４２】
以下の作業は、処理ユニット２５０が、ある程度その頭部１０又はその眼２０Ｇ、２０Ｄを移動させることにより、その凝視を回転させる着用者１の傾向を判定するステップを有する。
【０２４３】
従って、販売員は、着用者が第１の追加ターゲット３２０を見なければならず、次いで、第１の追加ターゲットが消灯されると共に第２の追加ターゲット３３０が点灯されると、着用者は、迅速にその凝視をこの第２の追加ターゲット３３０に向って回転させなければならないと着用者１に対して説明する。
【０２４４】
着用者１の準備が完了すると、タッチスクリーン２７０上に表示された特別なボタンを押下することにより、販売員は、新しい一連の計測を開始する。
【０２４５】
次いで、処理ユニット２５０は、第１の追加ターゲット３２０のみを、約５秒間にわたって、点灯させ、次いで、第１の追加ターゲット３２０を消灯し、且つ、同時に、第２の追加ターゲット３３０を点灯させる。第１の追加ターゲット３２０が消灯された瞬間に、処理ユニット２５０は、約１秒のシーケンスにおいて複数の画像（例えば、１０個）を取得し、且つ、メモリ内に保存する。
【０２４６】
次いで、取得された画像は、それらの画像のそれぞれ内において着用者１の頭部１０のヨー角αiを判定するべく、処理ユニット２５０によって処理される。
【０２４７】
１０個の取得された画像内において、この角度が、ほとんど変化しないと共に／又は低速で変化している場合には、処理ユニット２５０は、ある程度その眼２０Ｇ、２０Ｄを移動させることにより、その凝視を回転させる傾向を着用者が有しているものと判定する。
【０２４８】
対照的に、１０個の取得された画像内において、この角度が大幅に且つ／又は迅速に変化している場合には、処理ユニット２５０は、ある程度その頭部１０を移動させることにより、その凝視を回転させる傾向を着用者が有しているものと判定する。
【０２４９】
一変形として、処理ユニットは、別の方法において進捗することもできよう。
【０２５０】
一例として、更に高度な方式を使用することが可能であり、この場合には、それぞれの取得された画像内において、観察可能軸Ａ３から角膜反射１６２Ｄ、１６２Ｇを分離している距離ＥＧi、ＥＤiも判定される。
【０２５１】
次いで、処理ユニットは、ヨー角αiの変動の速度及び／又は振幅を距離ＥＧi、ＥＤiの変動の速度及び／又は振幅と比較することができよう。この結果、処理ユニットは、その比較から、着用者がその眼又は頭部を相対的に迅速に回転させる傾向を有しているかどうかを推定することができよう。処理ユニットは、その結果から、ある程度その頭部又はその眼を移動させることにより、その凝視を回転させる着用者の傾向を定量化する高度な係数を推定することもできよう。
【０２５２】
これらの様々な作業の後に、処理ユニット２５０は、
−  着用者の処方箋の読取り画像と、
−  着用者１によって選択された眼鏡フレームのモデルと、
−  着用者１の片眼瞳孔間距離ＥＧ、ＥＤと、
−  着用者１の瞳孔高さＨＧ、ＨＤと、
−  着用者１の顔の可視画像と、
−  着用者１の眼の回転の中心と眼鏡フレーム１１０の中央面Ｐ１を分離している距離ＶＧ２、ＶＤ２と、
−  ある程度その頭部１０又はその眼２０Ｇ、２０Ｄを移動させることにより、その凝視を回転させる着用者１の傾向を定量化した係数と、
を取得している。
【０２５３】
次いで、処理ユニットは、販売員が検証できるように、これらの様々な情報片をタッチスクリーン２７０上に表示する。
【０２５４】
販売員による検証の後に、処理ユニット２５０は、この情報を要約シート上において印刷する。次いで、処理ユニットは、この情報を眼科レンズを製造するセンタに対して伝達する。
【０２５５】
任意選択により、場合により、処理ユニット２５０が、すべての取得された情報を眼科レンズを製造するセンタに対して更に伝達するようにしてもよい。
【０２５６】
この結果、処理センタは、任意選択により、処理ユニット２５０によって算出されたすべてのデータを検証する作業を実行できることになる。
【０２５７】
これらのデータは、場合により、具体的には、処理ユニット２５０内にインストールされているソフトウェアパッケージが最新のものではない際に、検証されることになる。
【０２５８】
又、これらのデータは、場合により、選択されたフレームが「リムなし」フレームである際に、検証されることになる。この理由は、これらのフレームのディスプレイレンズのエッジは、一般に、取得された画像内において観察することが困難であり、この結果、誤りが生成される場合があるからである。
【０２５９】
この検証作業は、場合により、（特に、ソフトウェアパッケージが最新のものではない場合には）自動的に、或いは、場合により、具体的には、瞳孔とディスプレイレンズのエッジが正しく配置されていることを検証することになる専門的な技術者により、手動で、実行されることになる。
【０２６０】
本発明は、決して、説明及び図示されている実施形態に限定されるものではなく、且つ、当業者は、本発明の範囲を逸脱することなしに、これらに対して変更を実施できるであろう。
【０２６１】
具体的には、場合により、計測装置が、処理ユニット、画像センサ、及び光源を収容するキオスクの形態ではなく、相対的に小さな携帯型の形態をとるようにすることになろう。この場合には、場合により、特別なソフトウェアパッケージがインストールされることになると共にそのビデオカメラ（又は、「ウェブカメラ」）が可視領域においてビデオカメラの役割を果たすことになる携帯型コンピュータによって処理ユニットが形成されるようにすることになろう。その結果、この変形においては、赤外線ビデオカメラ及び光源は、携帯型コンピュータの画面に固定するためのクリップ及び携帯型コンピュータに接続するためのケーブルを装備した小さなハウジング内に配置されることになろう。この解決策は、低廉であり且つ容易に搬送可能なものとなる。
【０２６２】
本発明の別の変形実施形態によれば、場合により、処理ユニットは、画像を単にキャプチャし、且つ、それらの画像を眼科レンズを製造するセンタに伝達するようになり、この場合に、これらの画像は、この製造センタにおいて処理されることになる。
【図１】
2018057872.tif 000003
【図２】
2018057872.tif 000004
【図３】
2018057872.tif 000005
【図４】
2018057872.tif 000006
【図５】
2018057872.tif 000007
【図６】
2018057872.tif 000008
【図７】
2018057872.tif 000009
【図８】
2018057872.tif 000010
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
着用者（１）の顔面上の眼鏡（１００）の着用位置を最適化するための少なくとも１つの特性を判定する方法であって、前記最適化特性は、幾何形態特性（ＥＧ、ＥＤ、ＨＤ、ＨＧ）、又は、ある程度その頭部又はその眼を移動させることにより、その凝視を回転させる前記着用者の傾向を定量化した係数を有する行動特性であり、
前記眼鏡（１００）は、フレーム（１１０）と、２つのレンズ（１５０Ｇ、１５０Ｄ）を有するものである、
方法において、
ａ）赤外光源（２２０、２３０、２４０）を使用することにより、前記着用者（１）の頭部（１０）の少なくとも一部分を照射するステップと、
ｂ）前記赤外光源（２２０、２３０、２４０）によって照射された前記着用者（１）の前記頭部（１０）の画像（３０１、３０２、３０３）を赤外線画像センサ（２１０）によって取得するステップであって、前記画像内には、前記眼鏡（１００）及び前記着用者（１）の眼が現れる、ステップと、
ｃ）ステップｂ）において取得された前記画像（３０１、３０２、３０３）内において、前記眼鏡（１００）の前記２つのレンズ（１５０Ｇ、１５０Ｄ）によって反射された前記赤外光源（２２０、２３０、２４０）の反射（１６０Ｇ、１６０Ｄ、１６１Ｇ、１６１Ｄ）及び／又は前記着用者（１）の前記２つの眼のうちの１つによって反射された前記赤外光源（２２０、２３０、２４０）の少なくとも１つの角膜反射（１６２Ｄ、１６２Ｇ）を見出すステップと、
ｄ）前記画像（３０１、３０２、３０３）内における前記反射（１６０Ｇ、１６０Ｄ、１６１Ｇ、１６１Ｄ）の位置及び前記角膜反射（１６２Ｄ、１６２Ｇ）の位置に応じて、前記幾何形態特性（ＥＧ、ＥＤ、ＨＤ、ＨＧ）又は行動特性を処理ユニット（２５０）によって推定するステップと、
を有することを特徴とする方法。
【請求項２】
ステップｃ）において、ステップｂ）において取得された前記画像（３０１、３０２、３０３）内には、前記着用者（１）の両方の眼によって反射された前記赤外光源（２２０、２３０、２４０）の前記角膜反射（１６２Ｄ、１６２Ｇ）が位置している、
請求項１に記載の判定方法。
【請求項３】
ステップｂ）において、前記画像（３０１、３０２、３０３）は、７８０〜１４００ｎｍに含まれる波長を有する近赤外線の領域内において取得される、
請求項１又は２に記載の判定方法。
【請求項４】
前記画像における前記２つのレンズ（１５０Ｇ、１５０Ｄ）によって反射された前記赤外光源（２２０、２３０、２４０）の位置から姿勢特性が推定され、前記姿勢特性は、ヨー角（α）を有し、前記ヨー角（α）は、前記着用者（１）の前記頭部（１０）の矢状面（Ｐ２）と前記赤外線画像センサ（２１０）の光軸（Ａ２）を分離している、
請求項１から３のいずれか一項に記載の判定方法。
【請求項５】
前記幾何形態特性は、前記着用者（１）の片眼瞳孔間距離（ＥＧ、ＥＤ）を有する、請求項１から４のいずれか一項に記載の判定方法。
【請求項６】
前記幾何形態特性は、前記着用者の瞳孔高さ（ＨＧ、ＨＤ）を有する、請求項１から５のいずれか一項に記載の判定方法。
【請求項７】
ステップｂ）において、前記赤外線画像センサ（２１０）は、前記着用者（１）の前記頭部（１０）の少なくとも２つの画像（３０１、３０２、３０３）を取得し、
ステップｃ）において、前記反射（１６０Ｇ、１６０Ｄ、１６１Ｇ、１６１Ｄ）は、ステップｂ）において取得されたそれぞれの画像（３０１、３０２、３０３）内に位置しており、且つ、
ステップｄ）において、前記行動特性は、ある程度その頭部又はその眼を移動させることにより、その凝視を回転させる前記着用者の傾向を定量化した係数を有する、
請求項１から６のいずれか一項に記載の判定方法。
【請求項８】
前記幾何形態特性は、前記着用者（１）の前記眼の回転の中心（ＯＧ、ＯＤ）の位置を有する、請求項１から７のいずれか一項に記載の判定方法。
【請求項９】
人物（１）の少なくとも１つの幾何形態特性（ＥＧ、ＥＤ、ＨＤ、ＨＧ）、又は、ある程度その頭部又はその眼を移動させることにより、その凝視を回転させる前記着用者の傾向を定量化した係数を有する１つの行動特性を判定する装置（２００）において、
−  前記人物（１）の頭部（１０）の少なくとも一部分を照射するのに適した少なくとも１つの赤外光源（２２０、２３０、２４０）と、
−  前記赤外光源（２２０、２３０、２４０）によって照射された前記人物（１）の前記頭部（１０）の少なくとも一部分の画像（３０１、３０２、３０３）を取得するのに適した赤外線画像センサ（２１０）と、
−  前記人物（１）の瞳孔によって及び／又は前記人物（１）が着用した眼鏡（１００）の２つのレンズ（１５０Ｄ、１５０Ｇ）によって反射された前記赤外光源（２２０、２３０、２４０）の反射（１６０Ｄ、１６０Ｇ、１６１Ｄ、１６１Ｇ、１６２Ｄ、１６２Ｇ）を前記画像（３０１、３０２、３０３）上において見出し、且つ、前記反射から、前記幾何形態特性（ＥＧ、ＥＤ、ＨＤ、ＨＧ）又は行動特性を推定するようにされた処理ユニット（２５０）と、
を有することを特徴とする判定装置。
【請求項１０】
前記処理ユニットは、コンピュータの中央処理ユニットによって形成され、
且つ、
前記赤外光源及び前記赤外線画像センサは、前記処理ユニットとは別個であり、前記コンピュータの前記中央ユニットと通信するのに適した通信手段を装備する、
請求項９に記載の判定装置。
【請求項１１】
前記赤外光源（２２０、２３０、２４０）、前記赤外線画像センサ（２１０）、及び前記処理ユニット（２５０）が堅固に固定される支持構造体（２０１）を有する、請求項９に記載の判定装置（２００）。
【請求項１２】
前記支持構造体（２０１）は、マウンティング（２０２）と、前記マウンティング（２０２）上において移動自在に取り付けられると共に前記赤外光源（２２０、２３０、２４０）及び／又は前記赤外線画像センサ（２１０）を支持するスライダ（２０５）と、を有する、
請求項１１に記載の判定装置（２００）。
【請求項１３】
前記スライダ（２０５）の移動を動力化する手段が設けられ、且つ、
前記処理ユニット（２５０）は、前記人物（１）の顔が前記赤外線画像センサ（２１０）にとって可視状態となるような位置に前記動力化手段を自動的に制御するように適合されている、
請求項１２に記載の判定装置（２００）。
【請求項１４】
前記画像センサに対して移動自在に取り付けられた単一の光源、又は、前記画像上に２つの別個の反射を生成するべく、互いに離隔した少なくとも２つの光源が、設けられる、請求項９から１３のいずれか一項に記載の判定装置。
【請求項１５】
それぞれの赤外光源（２２０、２３０、２４０）は、少なくとも１つの発光ダイオードから構成される、請求項９から１４のいずれか一項に記載の判定装置（２００）。
【請求項１６】
前記赤外線画像センサ（２１０）は、可視領域において画像を取得するのにも適する、請求項９から１５のいずれか一項に記載の判定装置（２００）。
【請求項１７】
前記赤外線画像センサとは別個であり、且つ、前記可視領域において前記着用者の画像を取得するのに適した可視画像センサが設けられる、請求項９から１５のいずれか一項に記載の判定装置。
【請求項１８】
前記可視領域において取得された前記画像を表示（２７０）及び／又は印刷（２８０）する手段が設けられる、請求項１６又は１７に記載の判定装置（２００）。
【請求項１９】
前記眼鏡（１００）の少なくとも１つの寸法を取得する手段（２９０）が設けられる、請求項９から１８のいずれか一項に記載の判定装置（２００）。
【外国語明細書】
2018057872000001.pdf